(57)【要約】      （修正有）【課題】作業時間を短縮できる上、生産のオートメーション化を導入できるコンピューター入力装置の電気コネクター装置を提供する。【解決手段】絶縁台座１０に複数の等間隔に配列する凹槽１１を形成し、各凹槽１１内部に導電シート２０を設け、各導電シート２０の一端を彎曲して接触部２２を形成し、別端は延伸して端子部２３を形成し、絶縁台座１０はコンピューター入力装置の下ケースに設け、該コンピューター入力装置のプリント基板アセンブリーを該下ケースに設置する場合、導電シート２０の接触部２２は該プリント基板アセンブリーに圧迫されるために、しっかりと接触する。端子部２３は該コンピューター入力装置のシグナルケーブルと連接することで、電気接触及び電気を通す目的に達する。【選択図】図１
0003145999.tif 000002
【実用新案登録請求の範囲】
【請求項１】
絶縁台座、導電シートを含み、
絶縁台座は複数の等間隔に配列する凹槽を具有し、
複数の導電シートをそれぞれ凹槽内に嵌合し、該導電シートの一端は該絶縁台座の上方より突出することで、該コンピューター入力装置のプリント基板と電気接触し、該導電シートの別端は絶縁台座の前方に突出することで、該コンピューター入力装置のシグナルケーブルと電気接触することを特徴とするコンピューター入力装置の電気コネクター装置。
【請求項２】
前記導電シートは一枚のシートを彎曲して嵌合部、接触部及び端子部を形成し、導電シートの嵌合部はそれぞれ絶縁台座の凹槽に設置し、導電シートの接触部は嵌合部の上端より上に延伸して彎曲形成し、絶縁台座の上方に突出し、導電シートの端子部は嵌合部の下端より絶縁台座の前方に延伸し、接触部の下方に位置することを特徴とする請求項１記載のコンピューター入力装置の電気コネクター装置。
【請求項３】
前記シグナルケーブルに端子を具有し、該導電シートの別端と接続することを特徴とする請求項１記載のコンピューター入力装置の電気コネクター装置。
【請求項４】
前記シグナルケーブルを該導電シートの別端に溶接することを特徴とする請求項１記載のコンピューター入力装置の電気コネクター装置。
【請求項５】
前記シグナルケーブルに端子を具有し、該導電シートの端子部と接続することを特徴とする請求項２記載のコンピューター入力装置の電気コネクター装置。
【請求項６】
前記シグナルケーブルは該導電シートの端子部に溶接することを特徴とする請求項２記載のコンピューター入力装置の電気コネクター装置。
【考案の詳細な説明】
【技術分野】
【０００１】
本考案は電気コネクター装置に関し、特にコンピューター入力装置の電気コネクター装置に係り、素早くプリント基板アセンブリーと導線にコネクトできる電気コネクター装置に関する。
【背景技術】
【０００２】
コンピューターの入力装置はなくてはならないコンピューター周辺機器である。マウスを例に挙げると、下ケース及びプリント基板アセンブリー(PCBA Printed Circuit Board Assembly)にシグナルケーブルを含み、該プリント基板アセンブリーは下ケースに設置し、表面に複数のシグナルポイントを形成する。該シグナルケーブルの末端に複数の端子を設け、各端子はプリント基板アセンブリーのシグナルポイントと溶接することで、シグナルケーブルは該プリント基板アセンブリーに固定し、電気が通る。
【特許文献１】特開2002-73275号公報
【特許文献２】特開平10-301708号公報
【考案の開示】
【考案が解決しようとする課題】
【０００３】
しかし、これらコンピューター入力装置の電気コネクター装置は、溶接の過程で、錫及び溶接の高温により、変形や位置がずれる、位置が高くなる問題が生じやすい。また、治具を使う必要のあるプリント基板アセンブリーの作業は、更に冶具の精密度と作業員の操作ミスにより、定置不良が起こるため、製品機能の問題に影響し、事後不良品の重工作業は更に大幅にコストがアップするため、現有のコンピューター入力装置を組立の過程で、プリント基板アセンブリーとシグナルケーブルを結合する方法を、更に改良する必要があった。
本考案の課題は、前記従来技術の不都合を解決するため、組立が簡単であり、作業時間を短縮できる上、生産のオートメーション化を導入できるコンピューター入力装置の電気コネクター装置を提供することを主な課題とする。
【課題を解決するための手段】
【０００４】
前記課題を解決するために、本考案はコンピューター入力装置の電気コネクター装置の構造を提供するものであり、絶縁台座と複数の導電シートで構成している。
該絶縁台座は等間隔に並列する凹槽を具有し、該複数導電シートはそれぞれ当該凹槽に嵌合して設置する。該導電シートの一端は該絶縁台座の上方から突出することで、該コンピューター入力装置のプリント基板と電気接触する。該導電シートの別端は絶縁台座の前方から突出することで、該コンピューター入力装置のシグナルケーブルと電気接続する。
【０００５】
前記導電シートは一枚のシートを彎曲して嵌合部、接触部及び端子部を形成する。導電シートの嵌合部は対応する凹槽に設置し、導電シートの接触部は嵌合部の上端より上に延伸して彎曲形成し、絶縁台座の上方に突出する。導電シートの端子部は嵌合部の下端より絶縁台座の前方に延伸し、接触部の下方に位置する。
【０００６】
該電気コネクター装置は、コンピューター入力装置に応用し、該コンピューター入力装置は下ケース、プリント基板アセンブリー及びシグナルケーブルを含む。前記絶縁台座は該下ケースに固定し、該プリント基板アセンブリーを下ケースに設置する際、前述の導電シートの接触部は該プリント基板アセンブリーに圧迫されて緊密に接触する。該シグナルケーブルを導電シートの端子部に溶接することで、電気接触及び導電の目的に達する。
【０００７】
すなわち、請求項１の考案は、コンピューター入力装置の電気コネクター装置において、絶縁台座、導電シートを含み、絶縁台座は複数の等間隔に配列する凹槽を具有し、複数の導電シートをそれぞれ凹槽内に嵌合し、該導電シートの一端は該絶縁台座の上方より突出することで、該コンピューター入力装置のプリント基板と電気接触し、該導電シートの別端は絶縁台座の前方に突出することで、該コンピューター入力装置のシグナルケーブルと電気接触することを特徴とする。
請求項２の考案は、請求項１記載のコンピューター入力装置の電気コネクター装置において、前記導電シートは一枚のシートを彎曲して嵌合部、接触部及び端子部を形成し、導電シートの嵌合部はそれぞれ絶縁台座の凹槽に設置し、導電シートの接触部は嵌合部の上端より上に延伸して彎曲形成し、絶縁台座の上方に突出し、導電シートの端子部は嵌合部の下端より絶縁台座の前方に延伸し、接触部の下方に位置することを特徴とする。
請求項３の考案は、請求項１記載のコンピューター入力装置の電気コネクター装置において、前記シグナルケーブルに端子を具有し、該導電シートの別端と接続することを特徴とする。
請求項４の考案は、請求項１記載のコンピューター入力装置の電気コネクター装置において、前記シグナルケーブルを該導電シートの別端に溶接することを特徴とする。
請求項５の考案は、請求項２記載のコンピューター入力装置の電気コネクター装置において、前記シグナルケーブルに端子を具有し、該導電シートの端子部と接続することを特徴とする。
請求項６の考案は、請求項２記載のコンピューター入力装置の電気コネクター装置において、前記シグナルケーブルは該導電シートの端子部に溶接することを特徴とする。
【考案の効果】
【０００８】
本考案の設計により、生産のオートメーション化を導入することができ、オートメーションで下ケースの結合作業を行なうことで、大幅に生産効率を上げることができる。また、本考案は金属材質で構成する導電シートそのものに弾力性を持つため、プリント基板アセンブリーの各シグナルポイントがしっかりと各導電シートと緊密に接触することができるため、結合及び導電の目的に達する。よって、プリント基板アセンブリーのシグナルポイントは比較的広い公差範囲を具有するため、不良率が下がる。
【考案を実施するための最良の形態】
【０００９】
本考案の好適なコンピューター入力装置の電気コネクター装置の実施例を図に沿って説明する。
図１に示すのは、本考案の最良実施例の立体図である。該コンピューター入力装置の電気コネクター装置(1)に含まれるのは、絶縁台座(10)、複数の導電シート(20)であり、該絶縁台座(10)は複数の凹槽(11) を具有し、各凹槽(11)は等間隔に配列する。
【００１０】
複数の導電シート(20)の各導電シート(20)は一枚で彎曲して嵌合部(21)、接触部(22)及び端子部(23)を形成し、該嵌合部(21)はややU字型を呈し、個別に絶縁台座(10)の凹槽(11)内に設置する。該接触部(22)は嵌合部(21)の上端より上向きに延伸彎曲して、絶縁台座(10)の上方より突出する。該端子部(23)は嵌合部(21)の下端より絶縁台座(10)の前方に延伸し、接触部(22)の下方に位置する。
【００１１】
図２に示すのは、本考案をコンピューター入力装置に応用した立体分解図である。該コンピューター入力装置のマウスを例に挙げる。下ケース(30)、プリント基板アセンブリー(40)及び上ケース(50)を含み、該下ケース(30)は定置槽(31)を形成し、本考案の電気コネクター装置(1)の絶縁台座(10)は、該定置槽(31)と掛合する。該プリント基板アセンブリー(40)は該電気コネクター装置(1)に対応して、下ケース(30)に固定する。
【００１２】
図３に示すのは、該プリント基板アセンブリー(40)の底面に複数のシグナルポイント(41)を形成し、該シグナルポイント(41)は各導電シート(20)の接触部(22)と対応抵触する。電気コネクター装置(1)はプリント基板アセンブリー(40)と下ケース(30)の間に設けているため、該導電シート(20)が絶縁台座(10)の接触部(22)より突出し、プリント基板アセンブリー(40)に押される。また、該導電シート(20)の材質が金属であり、やや弾力を具有するため、接触部(22)とシグナルポイント(41)は緊密に接触する。
【００１３】
図４に示すように、絶縁台座(10)を定置槽(31)に設置し、上方のプリント基板アセンブリー(40)としっかりと結合する構造であるため、プリント基板アセンブリー(40)は溶接をしなくても、電気コネクター装置(1)の端子部(23)とシグナルケーブルと電気接続してシグナルを伝える。該シグナルケーブルにジョイントを設け、端子部(23)と接続することができる。または直接該端子部(23)に溶接することができる。
【００１４】
本考案のコンピューター入力装置の電気コネクター装置は、絶縁台座に設置し、複数の等間隔に配列する凹槽を形成する。各凹槽内に設ける導電シートの一端が彎曲して接触部を形成し、別端は延伸して端子部を形成する。該絶縁台座を該コンピューター入力装置の下ケースとプリント基板アセンブリーの間に設ける。導電シートが彎曲して形成する接触部が絶縁台座の上方に突出するため、該接触部がプリント基板アセンブリーに押される。
また、該端子部に、該コンピューター入力装置のシグナルケーブルを溶接することができる。特に注意したいのは、該シグナルケーブルに端子を設けることができ、該端子を該導電シートの端子部と接続することができる。或いは、該シグナルケーブルを直接該導電シートの端子部に溶接することができることで、該電気コネクター装置は該プリント基板アセンブリーと緊密に接触して電気が通る目的に達する。更に、本考案と該コンピューター入力装置の下ケースは、生産のオートメーション化に導入することができる。内部の部品コストが低く、組立が便利で時間を節約することができる。
なお、本考案の特徴を損なうものでなければ、上記の実施例に限定されるものでないことは勿論である。
【図面の簡単な説明】
【００１５】
【図１】本考案の外観立体図である。
【図２】本考案をコンピューター入力装置に実施する際の立体分解図である。
【図３】本考案の実施状態時の局部断面図である。
【図４】本考案の実施状態時の立体略図である。
【符号の説明】
【００１６】
1  電気コネクター装置
10 絶縁台座
11 凹槽
20 導電シート
21 嵌合部
22 接触部
23 端子部
30 下ケース
31 定置槽
40 プリント基板アセンブリー
41 シグナルポイント
50  上ケース
【図１】
0003145999.tif 000003
【図２】
0003145999.tif 000004
【図３】
0003145999.tif 000005
【図４】
0003145999.tif 000006